(57)【要約】【課題】被取付部材への取り付け作業性及びリサイクル性に優れ、さらに、被取付部材への固定強度を高めることができるワイヤハーネスの取付具を提供する。【解決手段】ワイヤハーネスを被取付部材６０へ固定する取付具１０は、ワイヤハーネス７０を保持すると共に、被取付部材６０に突設された支持片６１の一方の表面に添装される基部１４を有するベース部材１１と、ヒンジ１３を介して回動可能に前記ベース部材１１に接続され、回動されることによりベース部材１１の基部１４に対向配置されるカバー部材１２と、を備え、ベース部材１１の基部１４と回動されたカバー部材１２とで支持片６１を挟持し、カバー部材１２における支持片６１との接触面１９ｂに突設された係止爪２２を該支持片６１に食い込ませて該支持片６１に取り付けられ、ベース部材１１が、該ベース部材１１の基部１４と協働して支持片６１を挟持したカバー部材１２を該ベース部材１１に固定するロック手段１７を有している。【選択図】図１
2007181363.tif 000002
【特許請求の範囲】
【請求項１】
ワイヤハーネスを被取付部材へ固定する取付具であって、
ワイヤハーネスを保持すると共に、前記被取付部材に突設された支持片の一方の表面に添装される基部を有するベース部材と、
ヒンジを介して回動可能に前記ベース部材に接続され、回動されることにより該ベース部材の基部に対向配置されるカバー部材と、
を備え、
前記ベース部材の基部と回動された前記カバー部材とで前記支持片を挟持し、該カバー部材における該支持片との接触面に突設された係止爪を該支持片に食い込ませて該支持片に取り付けられ、
前記ベース部材が、該ベース部材の基部と協働して前記支持片を挟持した前記カバー部材を該ベース部材に固定するロック手段を有していることを特徴とする取付具。
【請求項２】
前記ロック手段は、前記支持片の両側縁に隣接するように前記ベース部材の基部に立設された一組の係止片であり、
前記一組の係止片が、前記カバー部材の両側縁にそれぞれ係合し、
前記カバー部材の各側縁には、該側縁に係合している前記係止片を該側縁に沿って前後から挟むように配置される一組の突起部が設けられていることを特徴とする請求項１に記載の取付具。
【請求項３】
前記カバー部材の各側縁において前記係止片にそれぞれ係合される係合部が、該カバー部材の表面に凹設されてなる段部とされており、
前記カバー部材の係合部に係合した前記係止片の突端面が、該カバー部材の表面と面一とされていることを特徴とする請求項２に記載の取付具。
【請求項４】
前記カバー部材、前記ヒンジ、及び前記ベース部材が、樹脂材料により一体成形されていることを特徴とする請求項１〜３のいずれかに記載の取付具。
【請求項５】
前記カバー部材、前記ヒンジ、及び前記ベース部材を形成する前記樹脂材料が、前記支持片を形成する材料よりも高硬度な樹脂材料であることを特徴とする請求項４に記載の取付具。
【発明の詳細な説明】
【技術分野】
【０００１】
本発明は、被取付部材にワイヤハーネスを固定するためのワイヤハーネスの取付具に関する。
【背景技術】
【０００２】
自動車等の車両において、ワイヤハーネスは、パネルやバンパーなどの被取付部材に固定されて車両の各所に配索されている。これらの被取付部材にワイヤハーネスを固定するための従来のワイヤハーネスの取付具として、図８に示すものが知られている（例えば、特許文献１参照）。
【０００３】
図８に示すように、ワイヤハーネス１００は、取付具であるハーネス保持部材１０１及びリブクリップ部材１０２により、被取付部材であるバンパー１０３に固定されている。バンパー１０３にはリブ１０４が突設されており、ワイヤハーネス１００を保持した合成樹脂製のハーネス保持部材１０１は、その挿通孔１０５にリブ１０４を挿通させて、当該リブ１０４に取り付けられている。
【０００４】
リブクリップ部材１０２は、金属板を二つ折りにしてその対向片部１０６，１０７でリブ１０４を挟持可能に形成されて、リブ１０４の先端部に装着されている。リブクリップ部材１０２の片部１０６，１０７の少なくとも一方には、リブクリップ部材１０２がリブ１０４の先端部に装着された状態において、リブ１０４の先端側に向けて延びて且つ内側に起こされた押え片部１０８が形成されており、この押え片部１０８のエッジ部分がリブ１０４に食い込んで当該リブ１０４からのリブクリップ部材１０２の抜け止めがなされている。
【０００５】
そして、リブクリップ部材１０２の片部１０６，１０７の少なくとも一方の端部には、リブ１０４の基端側に向けて延びて且つ外側に起こされた抜け止め片部１０９が形成されており、この抜け止め片部１０９がリブ１０４に取り付けられたハーネス保持部材１０１に当接してリブ１０４からのハーネス保持部材１０１の抜け止めがなされている。
【０００６】
【特許文献１】特開２００４−３５７４５６号公報
【発明の開示】
【発明が解決しようとする課題】
【０００７】
しかしながら、上記特許文献１に開示された従来のワイヤハーネスの取付具においては、押え片部１０８は、リブ１０４との接触面とは反対側の面を何ら支持されておらず、よって、自身の剛性、即ちリブクリップ部材１０２を形成する金属板の剛性のみでそのエッジ部をリブ１０４に食い込ませる構成である。そのため、押え片部１０８のエッジ部のリブ１０４への食い込みが不十分となり、リブクリップ部材１０２及びハーネス保持部材１０１がリブ１０４から脱落してしまう虞があり、リブクリップ部材１０２のリブ１０４への固定強度が十分とは言えない。
【０００８】
そして、これに対処するためにリブクリップ部材１０２を形成する金属板に高剛性のものを用いた場合には、リブクリップ部材１０２をリブ１０４に装着する際の取り付け作業性、並びにリブクリップ部材１０２及びハーネス保持部材１０１をリブ１０４から取り外す際の解体作業性が低下する虞がある。
【０００９】
また、上記特許文献１に開示された従来のワイヤハーネスの取付具では、まず、リブ１０４にリブクリップ部材１０２を装着し、その後にリブ１０４及びリブクリップ部材１０２を共に挿通孔１０５に挿通させながらハーネス保持部材１０１をリブ１０４に取り付ける構成である。即ち、ワイヤハーネス１００をバンパー１０３に固定するのに、リブクリップ部材１０２の取り付け、及びハーネス保持部材１０１の取り付けの２工程を必要とし、作業効率に劣る。
【００１０】
また、上記特許文献１に開示された従来のワイヤハーネスの取付具においては、合成樹脂製のハーネス保持部材１０１に対し、リブクリップ部材１０２は金属板からなり、リサイクルにあたっては解体後にハーネス保持部材１０１とリブクリップ部材１０２とを分別する必要があり、よって、リサイクル性に劣る。
【００１１】
本発明は、上述した事情に鑑みてなされたものであり、その目的は、被取付部材への取り付け作業性及びリサイクル性に優れ、さらに、被取付部材への固定強度を高めることができるワイヤハーネスの取付具を提供することにある。
【課題を解決するための手段】
【００１２】
上記した目的は、本発明に係る下記（１）〜（５）のワイヤハーネスの取付具により達成される。
【００１３】
（１）ワイヤハーネスを被取付部材へ固定する取付具であって、
ワイヤハーネスを保持すると共に、前記被取付部材に突設された支持片の一方の表面に添装される基部を有するベース部材と、
ヒンジを介して回動可能に前記ベース部材に接続され、回動されることにより該ベース部材の基部に対向配置されるカバー部材と、
を備え、
前記ベース部材の基部と回動された前記カバー部材とで前記支持片を挟持し、該カバー部材における該支持片との接触面に突設された係止爪を該支持片に食い込ませて該支持片に取り付けられ、
前記ベース部材が、該ベース部材の基部と協働して前記支持片を挟持した前記カバー部材を該ベース部材に固定するロック手段を有していることを特徴とする取付具。
【００１４】
（２）前記ロック手段は、前記支持片の両側縁に隣接するように前記ベース部材の基部に立設された一組の係止片であり、
前記一組の係止片が、前記カバー部材の両側縁にそれぞれ係合し、
前記カバー部材の各側縁には、該側縁に係合している前記係止片を該側縁に沿って前後から挟むように配置される一組の突起部が設けられていることを特徴とする（１）に記載の取付具。
【００１５】
（３）前記カバー部材の各側縁において前記係止片に係合される係合部が、該カバー部材の表面に凹設されてなる段部とされており、
前記カバー部材の係合部に係合した前記係止片の突端面が、該カバー部材の表面と面一とされていることを特徴とする（２）に記載の取付具。
【００１６】
（４）前記カバー部材、前記ヒンジ、及び前記ベース部材が、樹脂材料により一体成形されていることを特徴とする（１）〜（３）のいずれか一項に記載の取付具。
【００１７】
（５）前記カバー部材、前記ヒンジ、及び前記ベース部材を形成する前記樹脂材料が、前記支持片を形成する材料よりも高硬度な樹脂材料であることを特徴とする（４）に記載の取付具。
【００１８】
上記（１）の構成のワイヤハーネスの取付具によれば、ベース部材の基部と協働して被取付部材の支持片を挟持するカバー部材はヒンジを介してベース部材に接続されており、つまり、これらベース部材、ヒンジ、及びカバー部材は１部品として構成されているから、ワイヤハーネスを保持するハーネス保持部材及びリブを挟持するリブクリップ部材の２部品で構成されている従来の取付具に比べて被取付部材への固定が容易であり、作業性に優れる。
そして、本構成の取付具は、ベース部材の基部とカバー部材とで支持片を挟持し、カバー部材における支持片との接触面に突設された係止爪を支持片に食い込ませて支持片に取り付けられるが、ベース部材の基部と協働して支持片を挟持するカバー部材は、ベース部材に設けられたロック手段により該ベース部材に固定され、ベース部材から離反するような反りや変位が規制される。これにより、係止爪を確実に支持片に食い込ませることができ、取付具の被取付部材への固定強度を十分に確保することができる。
【００１９】
上記（２）の構成のワイヤハーネスの取付具によれば、カバー部材が、その側縁に沿った前後方向、即ち、ベース部材の基部とカバー部材との隙間からの支持片の挿抜方向に、ベース部材に対して相対変位しようとしても、その各側縁に設けられた一組の突起部が該側縁に係合している係止片に当接してカバー部材の相対変位が規制される。これにより、ベース部材の基部とカバー部材とによる支持片の挟持が確実となり、取付具の被取付部材への固定強度を十分に確保することができる。
【００２０】
上記（３）の構成のワイヤハーネスの取付具によれば、カバー部材の各側縁において係止片に係合される係合部がカバー部材の表面に凹設されてなる段部とされており、カバー部材の係合部に係合した係止片の突端面がカバー部材の表面と面一とされているから、ベース部材の基部から離反するようなカバー部の反りが規制されてベース部材の基部とカバー部材とによる支持片の挟持が確実となり、さらに、上記一組の突起部で挟まれていることと相まって、不用意に触れてしまうなどで係止片に外力が作用して不用意にロック状態が解除されてしまうことを防止することができる。
【００２１】
上記（４）の構成のワイヤハーネスの取付具によれば、カバー部材、ヒンジ、及びベース部材が、樹脂材料により一体成形されており、これら部材の分別の必要がなく、リサイクル性に優れ、また、コストを低減することができる。
【００２２】
上記（５）の構成のワイヤハーネスの取付具によれば、カバー部材、ヒンジ、及びベース部材を形成する樹脂材料が支持片を形成する材料よりも高硬度な樹脂材料であるから、カバー部材に設けられた係止爪を確実に支持片に食い込ませることができ、取付具の被取付部材への固定強度を十分に確保することができる。
【発明の効果】
【００２３】
このように、本発明によれば、被取付部材への取り付け作業性及びリサイクル性に優れ、さらに、被取付部材への固定強度を高めることができるワイヤハーネスの取付具を提供することができる。
【発明を実施するための最良の形態】
【００２４】
以下、本発明のワイヤハーネスの取付具に係る好適な実施形態を図面に基づいて詳細に説明する。
【００２５】
図１は本発明に係る取付具及び被取付部材の一実施形態の斜視図、図２は図１の取付具の単体斜視図、図３はカバー部材が回動された状態を示す図１の取付具の単体斜視図、図４は図３におけるIV-IV矢視断面図、図５は取り付け直前の状態を示す図１の取付具及び被取付部材の斜視図、図６は取り付け完了後の状態を示す図１の取付具及び被取付部材の斜視図、図７は図６におけるVII-VII矢視断面図である。
【００２６】
図１に示すように、ワイヤハーネス７０は、取付具１０により被取付部材であるバンパー６０に固定される。バンパー６０は、例えば合成樹脂製であって、その一側面には、比較的薄い矩形板状の支持片としてのリブ６１が一体に突設されている。そして、取付具１０は、ワイヤハーネス７０を保持しているベース部材１１と、カバー部材１２とを備えている。尚、以下の説明において、取付具１０のバンパー６０への取り付け方向を取付具１０についての前方として規定するものとする。
【００２７】
さらに図２〜図４を参照して、ベース部材１１は全体として略矩形板状に形成されており、ワイヤハーネス７０は、その長手方向をベース部材１１の長手方向に一致させてベース部材１１の下面に添い、ベース部材１１の長手方向両端部にそれぞれ設けられているベラ部１５にテープ巻きされるなどしてベース部材１１に保持されている。ベース部材１１の長手方向中央部は、取付具１０がバンパー６１に取り付けられた際にリブ６１の下面に添装される基部１４とされている。
【００２８】
ベース部材１１の基部１４には、該基部１４がバンパー６０のリブ６１の下面に添装された際にリブ６１の両側縁に隣接するように一組の係止片１７が立設されており、これらの係止片１７の先端部には、内側に向けて、即ち、他方の係止片１７に向けて突出する爪部１８がそれぞれ設けられている。
【００２９】
カバー部材１２は、略矩形板状に形成され、ベース部材１１の基部１４の後端縁にヒンジ１３を介して回動可能に接続されており、ヒンジ１３を撓ませながら回動されてベース部材１１の基部１４に対向配置されるようになっている。
【００３０】
カバー部材１２の両側縁には、該カバー部材１２がベース部材１１の基部１４に対向配置された際にベース部材１１の係止片１７に係合される係合部２１がそれぞれ設けられている。係合部２１は、カバー部材１２がベース部材１１の基部１４に対向配置された際の基部１４との対向面１９ｂとは反対側の表面１９ａに凹設されてなる段部であり、ベース部材１１の係止片１７は、その先端部に突設された爪部１８をこの係合部２１に係合させ、カバー部材１２をベース部材１１に固定する。
【００３１】
ベース部材１１の係止片１７は、爪部１８をカバー部材１２の係合部２１に係合させた状態において、その突端面がカバー部材１２の表面１９ａと面一になる高さに形成されている。そして、カバー部材１２の両側縁には、ベース部材１１の係止片１７が係合部２１に係合している状態で該側縁に沿って係止片１７を前後から挟むように配置される一組の突起部２０がそれぞれ設けられている。
【００３２】
また、カバー部材１２の対向面１９ｂには略三角錐状の係止爪２２が突設されている。係止爪２２は、カバー部材１２の対向面１９ｂにおいて前端部両側、即ち、ベース部材１１の係止爪１７に係合される係合部２１の近傍にそれぞれ設けられている。
【００３３】
これらベース部材１１、カバー部材１２、及びヒンジ１３は、バンパー６０及びこれと一体のリブ６１を形成している材料よりも高硬度な合成樹脂により一体成形されている。
【００３４】
次に、このように構成された取付具１０のバンパー６０への取り付けを、図５〜図７を参照して説明する。
【００３５】
図５に示すように、取付具１０は、バンパー６０のリブ６１がベース部材１１の前端縁側から一組の係止片１７間に差し込まれるようにしてバンパー６０に取り付けられる。ここで、カバー部材１２が回動される前にあっては、ベース部材１１の係止片１７の爪部１８がリブ６１の両側縁の上面にそれぞれ係合しており、取付具１０は、リブ６１に掛け留めされた状態に仮固定されている。
【００３６】
そして、図６及び図７に示すように、取付具１０は、ベース部材１１の基部１４に対向配置されるようにカバー部材１２が回動され、カバー部材１２の対向面１９ｂに突設された係止爪２２をリブ６１に食い込ませながらベース部材１１の基部１４とカバー部材１２とでリブ６１を挟持し、その際、カバー部材１２の係合部２１にベース部材１１の係止片１７がそれぞれ係合して該カバー部材１２がベース部材１１に固定される。以上で、取付具１０のバンパー６０への取り付けが完了する。
【００３７】
尚、取付具１０をバンパー６０から取り外すに際しては、カバー部材１２の係合部２１とベース部材１１の係止片１７との係合を解除し、取り付け時とは反対方向にカバー部材１２を回動させることで係止爪２２のリブ６１への食い込みを解除する。これにより、取付具１０はバンパー６０から容易に取り外される。
【００３８】
以上説明したように、本実施形態のワイヤハーネスの取付具１０によれば、ベース部材１１の基部１４と協働してバンパー６０のリブ６１を挟持するカバー部材１２はヒンジ１３を介してベース部材１１に接続されており、つまり、これらベース部材１１、ヒンジ１３、及びカバー部材１２は１部品として構成されているから、ワイヤハーネスを保持するハーネス保持部材及びリブを挟持するリブクリップ部材の２部品で構成されている従来の取付具に比べてバンパー６０への固定が容易であり、作業性に優れる。
【００３９】
そして、本実施形態の取付具１０によれば、ベース部材１１の基部１４とカバー部材１２とでリブ６１を挟持し、カバー部材１２におけるリブ６１との接触面（対向面）１９ｂに突設された係止爪２２をリブ６１に食い込ませてリブ６１に取り付けられるが、ベース部材１１の基部１４と協働してリブ６１を挟持したカバー部材１２は、ベース部材１１に設けられたロック手段としての一組の係止片１７により該ベース部材１１に固定され、ベース部材１１から離反するような反りや変位が規制される。これにより、係止爪２２を確実にリブ６１に食い込ませることができ、取付具１０のバンパー６０への固定強度を十分に確保することができる。
【００４０】
また、本実施形態の取付具１０によれば、カバー部材１２が、前後方向に、即ち、ベース部材１１の基部１４とカバー部材１２との隙間からのリブ６１の挿抜方向にベース部材１１に対して相対変位しようとしても、カバー部材１２の各側縁に設けられた一組の突起部２０が該側縁に係合している係止片１７に当接してカバー部材１２の相対変位が規制される。これにより、ベース部材１１の基部１４とカバー部材１２とによるリブ６１の挟持が確実となり、取付具１０のバンパー６０への固定強度を十分に確保することができる。
【００４１】
また、本実施形態の取付具１０によれば、カバー部材１２の各側縁において係止片１７に係合される係合部２１がカバー部材１２の表面１９ａに凹設されてなる段部とされており、カバー部材１２の係合部２１に係合した係止片１７の突端面がカバー部材１２の表面と面一とされているから、ベース部材１１の基部１４から離反するようなカバー部１２の反りが規制され、ベース部材１１の基部１４とカバー部材１２とによるリブ６１の挟持が確実となり、さらに、上記一組の突起部２０で挟まれていることと相まって、不用意に触れてしまうなどで係止片１７に外力が作用して不用意にロック状態が解除されてしまうことを防止することができる。
【００４２】
また、本実施形態の取付具１０によれば、カバー部材１２、ヒンジ１３、及びベース部材１１が、樹脂材料により一体成形されており、これら部材の分別の必要がなく、リサイクル性に優れ、また、コストを低減することができる。
【００４３】
また、本実施形態の取付具１０によれば、カバー部材１２、ヒンジ１３、及びベース部材１１を形成する樹脂材料がリブ６１を形成する材料よりも高硬度な樹脂材料であるから、カバー部材１２に設けられた係止爪２２を確実にリブ６１に食い込ませることができ、取付具１０のバンパー６０への固定強度を十分に確保することができる。
【００４４】
また、本実施形態の取付具１０によれば、カバー部材１２が回動されて該カバー部材１２とベース部材１１の基部１４とでリブ６１を挟持する前にあっては、ベース部材１１の係止片１７の爪部１８をリブ６１の両側縁の上面にそれぞれ係合させて、リブ６１に掛け留めされた状態に仮固定されるので、取付具１０をバンパー６０に取り付けるにあたって常に取付具１０を保持しておく必要がなく、作業性に優れる。
【００４５】
尚、本発明は、上述した実施形態に限定されるものではなく、適宜、変形、改良等が可能である。
【図面の簡単な説明】
【００４６】
【図１】本発明に係る取付具及び被取付部材の一実施形態の斜視図である。
【図２】図１の取付具の単体斜視図である。
【図３】カバー部材が回動された状態を示す図１の取付具の単体斜視図である。
【図４】図３におけるIV-IV矢視断面図である。
【図５】取り付け直前の状態を示す図１の取付具及び被取付部材の斜視図である。
【図６】取り付け完了後の状態を示す図１の取付具及び被取付部材の斜視図である。
【図７】図６におけるVII-VII矢視断面図である。
【図８】従来のワイヤハーネスの取付具の斜視図である。
【符号の説明】
【００４７】
１０  取付具
１１  ベース部材
１２  カバー部材
１３  ヒンジ
１４  基部
１７  係止片（ロック手段）
２０  突起部
２１  係合部
２２  係止爪
６０  バンパー（被取付部材）
６１  リブ（支持片）
７０  ワイヤハーネス
【図１】
2007181363.tif 000003
【図２】
2007181363.tif 000004
【図３】
2007181363.tif 000005
【図４】
2007181363.tif 000006
【図５】
2007181363.tif 000007
【図６】
2007181363.tif 000008
【図７】
2007181363.tif 000009
【図８】
2007181363.tif 000010